(57)【要約】【課題】硬貨処理装置において、水平搬送部からリフト部に移行する部位における硬貨づまりを防止するようにする。【解決手段】起立して回転する硬貨Ｃと当接した際に硬貨を水平搬送部３５の一方の縁から中央付近に移動させる、水平搬送部の一方の縁から切り欠き部に向けたものであって、かつ前記切り欠き部の頂点に向けて先細りになるように傾斜して設けられた、基部から突出した２つのストッパ部５１Ｌ，５１Ｒと、このストッパ部によって移動させられる硬貨の移動を遮り硬貨を倒す、中央に設けられた三角形状の切り欠き部５２を備えるジャム防止治具をリフト部の前部位に設ける。水平搬送部上で起立して搬送される硬貨は、切り欠き部によって上部と下部に逆方向の力を受けるため倒れ、水平搬送部に載置される。【選択図】　　　　図２
2004070758.tif 000002
【特許請求の範囲】
【請求項１】
複数のホッパから放出された硬貨を、水平搬送部とリフト部からなる主搬送ベルトの前記水平搬送部で搬送し、前記リフト部と前記リフト部に対する副搬送ベルトで前記硬貨を挟んで、前記水平搬送部より上部にある受取皿まで運ぶ硬貨処理装置において、
前記水平搬送部から少なくとも硬貨１枚分より厚い高さに備えられ、かつ起立して回転する前記硬貨と当接した際に前記硬貨を前記水平搬送部の縁から中央側に移動させる硬貨移動手段と、
前記硬貨移動手段によって中央側に移動する前記硬貨の移動を中央位置で遮り、前記硬貨を倒す硬貨傾倒手段とを備えることを特徴とする硬貨処理装置におけるジャム防止治具。
【請求項２】
前記硬貨傾倒手段は、三角形状の切り欠き部であり、
前記硬貨移動手段は、前記水平搬送部の一方の縁から前記切り欠き部に向けたものであって、かつ前記切り欠き部の頂点に向けて先細りになるように傾斜して設けられた、基部から突出した２つのストッパであることを特徴とする請求項１記載の硬貨処理装置におけるジャム防止治具。
【発明の詳細な説明】
【０００１】
【発明の属する技術分野】
本発明は、硬貨処理装置でのジャムを防止するジャム防止治具に関し、特に、ホッパから放出された硬貨を硬貨搬送ベルトで搬送し、この硬貨搬送ベルトの水平搬送部より上部にある受取皿まで、２枚の硬貨搬送ベルトに挟んで硬貨を運ぶ硬貨処理装置におけるジャム防止治具に関する。
【０００２】
【従来の技術】
例えば、自動券売機においては、所望の金額の乗車券を購入する際、硬貨を　投入すると、乗車券および必要な釣り銭が排出される。この釣り銭は硬貨処理装置によって排出される。
【０００３】
硬貨処理装置は、投入された硬貨を識別する硬貨識別器と、識別された硬貨を金種ごとに振り分けるための振り分け機構と、振り分けられた各種硬貨をそれぞれ貯留する複数のホッパと、必要な釣り銭を該ホッパから放出するための放出機構と、ホッパから放出された釣り銭としての硬貨Ｃを受取皿まで搬送する硬貨搬送ベルトとを有している。
【０００４】
硬貨搬送ベルトは、ホッパの下方に位置する水平搬送部と、この水平搬送部の端部から受取皿に向かってほぼ垂直にのびるリフト部とを有する主搬送ベルトと、リフト部と同様に受取皿に向かって垂直に延び、リフト部と接触して硬貨Ｃを挟み込んで搬送する副搬送ベルトとから成っている。
【０００５】
図１５は、従来の硬貨処理装置の主要部の拡大斜視図である。主搬送ベルト１１０の水平搬送部１１２は矢印１１４の方向へ移動し、副搬送ベルト１１１は矢印１１５の方向へ移動する。釣り銭としての硬貨Ｃを返却する場合、該硬貨Ｃは最初に主搬送ベルト１１０の水平搬送部１１２で搬送され、リフト部１１３で主搬送ベルト１１０と副搬送ベルト１１１により挟持されて受取皿まで搬送される。
【０００６】
【発明が解決しようとする課題】
しかし、ホッパから主搬送ベルト１１０に放出された硬貨Ｃが、主搬送ベルト１１０の水平搬送部１１２上で、起立したままでリフト部１１３まで移動してしまうことがある。つまり、硬貨Ｃが起立した状態であると、搬送が水平搬送部１１２から垂直状態に移行する際に、硬貨搬送ベルト１１０，１１１に大きな負荷がかかり、水平搬送部１１２からリフト部１１３へ移行する部位での硬貨づまり（ジャム）が生じてしまう。
【０００７】
本発明の目的は、上記の問題に鑑み、水平搬送部からリフト部へ移行する部位における硬貨づまりを防止する硬貨処理装置におけるジャム防止治具を提供することにある。
【０００８】
【課題を解決するための手段および作用】
本発明に係る硬貨処理装置におけるジャム防止治具は、上記課題を解決するために、次のように構成される。
【０００９】
本発明に係る第１の硬貨処理装置におけるジャム防止治具（請求項１に対応）は、複数のホッパから放出された硬貨を、水平搬送部とリフト部からなる主搬送ベルトの水平搬送部で搬送し、リフト部とリフト部に対する副搬送ベルトで硬貨を挟んで、水平搬送部より上部にある受取皿まで運ぶ硬貨処理装置において、水平搬送部から少なくとも硬貨１枚分より厚い高さに備えられ、かつ起立して回転する硬貨と当接した際に硬貨を水平搬送部の縁から中央側に移動させる硬貨移動部と、この硬貨移動部によって中央側に移動する硬貨の移動を中央位置で遮り、硬貨を倒す硬貨傾倒部とを備えることを特徴とする。
【００１０】
第１の硬貨処理装置におけるジャム防止治具によれば、起立して回転する硬貨を硬貨移動部によって中央側へ動かし、硬貨傾倒部によって中央付近で倒すので、搬送が水平搬送部から垂直状態に移行する際に、硬貨が詰まる（ジャムする）ことを防ぐことが可能となる。また、中央付近で硬貨を倒すことが可能なので、水平搬送部の縁から中央付近までの距離が短く、より早く硬貨を倒すことが可能となる。
【００１１】
本発明に係る第２のコイル装置（請求項２に対応）は、上記構成において、好ましくは、硬貨傾倒部は、三角形状の切り欠き部であり、硬貨移動部は、水平搬送部の一方の縁から切り欠き部に向けたものであって、かつ切り欠き部の頂点に向けて先細りになるように傾斜して設けられた、基部から突出した２つのストッパであることを特徴とする。
【００１２】
第２の硬貨処理装置におけるジャム防止治具によれば、ジャム防止治具の左側や右側に偏って進行する、起立して回転する硬貨を、硬貨傾倒部がある中央付近へ移動させ、中央付近で硬貨の進行を遮り、確実に硬貨を倒す。
【００１３】
【発明の実施の形態】
実施形態で説明される構成、形状、大きさおよび配置関係については本発明が理解・実施できる程度に概略的に示したものにすぎない。従って本発明は、以下に説明される実施形態に限定されるものではなく、特許請求の範囲に示される技術的思想の範囲を逸脱しない限り様々な形態に変更することができる。
【００１４】
図１は、例えば、自動券売機に用いられる本発明に係るジャム防止治具を備えた硬貨処理装置１０の概略図を示している。この硬貨処理装置１０は、硬貨投入口１１から投入された硬貨Ｃの種類を判別する硬貨判別器１２を備えている。該硬貨判別器１２により判別された硬貨Ｃは、硬貨振分け部１３により振分けられて一時保留部１４の各保留筒１５〜１８に金種ごとに保留される。一時保留部１４に保留された硬貨Ｃは、発券処理等の所定の処理が終了すると、硬貨貯留放出機構１９に送出される。
【００１５】
硬貨貯留放出機構１９は、各金種に対応したすりばち形状をした複数のホッパ部２０〜２３と、釣り銭時に各ホッパ部２０〜２３内の硬貨Ｃを所定枚数だけ硬貨搬送部２４に放出する放出機構２５〜２８とを有している。
【００１６】
硬貨搬送部２４に放出された硬貨Ｃは、該硬貨搬送部２４に搬送されて放出シュート２９を介して受取皿３０に通じる放出口３１から該受取皿３０に放出される。利用客は、受取皿３０に放出された釣り銭を取出口３２から受け取る。
【００１７】
硬貨搬送部２４は、主搬送ベルト３３と、副搬送ベルト３４とから構成されている。主搬送ベルト３３は、放出機構２５〜２８の下方に位置し、該放出機構２５〜２８から繰り出された釣り銭硬貨Ｃをベルト上に載置して搬送する水平搬送部３５と、該水平搬送部３５より搬送されてきた釣り銭硬貨Ｃをほぼ垂直方向に搬送し受取皿３０に放出するためのリフト部３６とからなっている。
【００１８】
主搬送ベルト３３は、駆動プーリ３７と、リフト部３６のプーリ３８と、水平搬送部３５とリフト部３６との屈曲部に位置するプーリ３９，４０とに巻回されている。駆動プーリ３７は、駆動手段であるモータＭによって駆動される。このモータＭは、制御装置４１により制御される。
【００１９】
副搬送ベルト３４は、主搬送ベルト３３のリフト部３６と接触するよう複数のプーリ４２〜４５に巻回されている。主搬送ベルト３３の水平搬送部３５上に放出された釣り銭硬貨は、最初は主搬送ベルト３３のみで水平方向に搬送された後、副搬送ベルト３４と主搬送ベルト３３のリフト部３６のベルトとにより挟み込まれてほぼ垂直に搬送され、受取皿３０に放出される。
【００２０】
硬貨Ｃが副搬送ベルト３４と主搬送ベルト３３のリフト部３６のベルトとにより挟み込まれて搬送される部位において、ホッパ部２０〜２３から放出された硬貨Ｃが、主搬送ベルト３３の水平搬送部３５で載置せず、水平搬送部３５の上で起立して回転することがある。この回転状態の硬貨Ｃが回転状態のまま２枚の搬送ベルトで挟まれる部位まで移動すると、その部位でジャムが生じる。そこで、回転状態の硬貨Ｃを確実に倒し、主搬送ベルト３３の水平搬送部３５に載置させ搬送し、ジャムすることなく２枚の硬貨搬送ベルトに挟まれて搬送できるように、リフト部の前部位にジャム防止治具５０を設けている。
【００２１】
図２は、ジャム防止治具を設けた部位の拡大斜視図である。以下、図１と同じ部材には同じ符号を付している。主搬送ベルト３３の水平搬送部３５が副搬送ベルト３４と接し、硬貨Ｃを挟み込み受取皿３０まで搬送するように構成されている。ジャム防止治具５０は、主搬送ベルト３３の水平搬送部３５と副搬送ベルト３４とが接する部位、すなわち水平搬送から垂直搬送に移行する部位から水平搬送部３５の進行方向４６の逆方向へ離れた部位に設けられる。ジャム防止治具５０は、硬貨処理装置１０の壁４７にネジ５４を介して取り付けられている。
【００２２】
ジャム防止治具５０は、中央付近に三角形状の切り欠き部５２を備える。切り欠き部５２は基部５３から三角形状で下方に突き出し、溝（切り欠き頂点）５２Ｒ，５２Ｌを有する。
【００２３】
また、ジャム防止治具５０は、水平搬送部の一方の縁から中央付近に設けられた切り欠き部５２に向けたものであって、かつ切り欠き部５２の頂点５２Ｒ，５２Ｌに向けて先細りになるように傾斜して設けられた硬貨移動部であるストッパ部５１Ｒ，５１Ｌを備える。このストッパ部５１Ｒ，５１Ｌは、水平搬送部３５の進行方向４６の逆方向であり、かつ下方へ傾斜して、基部５３から突出している。このように形成されたストッパ部５１Ｒ，５１Ｌは、三角形状となっている。ストッパ部５１Ｒ，５１Ｌは、溝５２Ｒ，５２Ｌに向かって傾斜しており、ストッパ部５１Ｒ，５１Ｌの先細りの頂点は溝５２Ｒ，５２Ｌになっている。
【００２４】
図３は、ジャム防止治具の斜視図である。ジャム防止治具５０は、基部５３から突出し、中央付近に向けて先細りになるように溝５２Ｒ，５２Ｌへ向けてそれぞれ傾斜するストッパ部５１Ｒ，５１Ｌと、基部５３から三角形状で下方に突き出した切り欠き部５２を備えている。
【００２５】
図４は、ジャム防止治具の正面図である。ストッパ部５１Ｒは、三角形状をなしており、図の左側から右側へ先細りとなっている。この先細りの頂点が切り欠き部５２の溝５２Ｒとなっている。同様に、ストッパ部５１Ｌは、三角形状をなしており、図の右側から左側へ先細りとなっており、先細りの頂点が切り欠き部５２の溝５２Ｌとなっている。
【００２６】
図５は、ジャム防止治具の側面図である。ストッパ部５１Ｌは、基部５３から突出している。図５ではストッパ部５１Ｌ側から見た側面図となっているが、ストッパ部５１Ｒから見た側面図も同様に、ストッパ部５１Ｒが基部５３から突出している。
【００２７】
以下に、図６〜図１４を参照にして、硬貨Ｃがジャム防止治具５０に当接し倒れ、主搬送ベルト３３の水平搬送部３５に載置される過程を説明する。図６は、硬貨Ｃがジャム防止治具５０のストッパ部５１Ｌに当接し、左側へ移動させられている状態を示す図である。回転状態の硬貨Ｃは、ストッパ部５１Ｌに当接することによって、左方向へ移動させられる力６０を受ける。図７は、図６の状態を上から見た図である。硬貨Ｃはストッパ部５１Ｌに当接し、左側へと移動する力６０を受ける。なお、４７は壁であり、３５は水平搬送部であり、４６は水平搬送部３５の進行方向である。図８は、図６の状態を進行方向から見た図である。水平搬送部３５の上で回転してストッパ部５１Ｌに当接した硬貨Ｃは、ストッパ部５１Ｌから受けた力６０によって左側へ移動させられる。
【００２８】
図９は、硬貨Ｃがジャム防止治具５０の切り欠き部５２の溝５２Ｌに当接し、倒れる状態を示す図である。ストッパ部５１Ｌによって移動させられた硬貨Ｃの上部は、切り欠き部５２の溝５２Ｌに当接し力６２を受け、移動を遮られる。一方、硬貨Ｃの下部は、硬貨Ｃ自体が左へ移動しているため、力を受けずそのまま左へ移動する。このため、硬貨Ｃの上部と下部で逆向きの力（６１，６２）が働き、硬貨Ｃは倒れる。図１０は、図９の状態を上から見た図である。
【００２９】
硬貨Ｃは、ストッパ部５１Ｌによる左側へ移動させる力６１と、切り欠き部５２の溝５２Ｌによって硬貨Ｃの上部の移動を遮る右側方向への力６２とによって、バランスを崩され倒れる。図１１は、図９の状態を進行方向４６から見た図である。硬貨Ｃの下部はストッパ部５１Ｌによって左側へ移動する力６１を受け続け、上部は切り欠き部５２の溝５２Ｌによって移動を遮られ右側への力６２を受ける。このため、硬貨Ｃは上部と下部で逆向きの力が働き、バランスを崩し倒れる。
【００３０】
図１２は、硬貨Ｃが倒れ、ジャム防止治具５０の基部５３に当たり主搬送ベルト３３の水平搬送部３５へ落ちる状態を示す図である。倒れた硬貨Ｃは、基部５３に当たり、力６３を受け、主搬送ベルト３３の水平搬送部３５へ落ちていく。
【００３１】
図１３と図１４は、主搬送ベルト３３の水平搬送部３５に載置された硬貨Ｃが、搬送される状態を示す図である。図１３では、硬貨Ｃが基部５３に当たり水平搬送部３５に落ち、載置され、搬送されている状態を示している。水平搬送部３５に載置された硬貨Ｃは、水平搬送部３５の進行方向４６と同じ方向６４へ移動する。図１４では、ジャム防止治具５０の下を硬貨Ｃが搬送されている状態を示している。これは、ジャム防止治具５０が水平搬送部３５から硬貨Ｃの厚さ分以上の高さに備えられているためである。
【００３２】
上述のように、回転状態の硬貨Ｃを確実に倒し、水平搬送部３５に載置するため、リフト部３６でのジャムを確実に防止することができる。また、左右に設けたストッパ部５１Ｒ，５１Ｌから中央の切り欠き部５２の溝５２Ｒ，５２Ｌまでの距離が短いため、水平搬送部３５上の左右の端を起立して回転する硬貨がすぐに切り欠き部５２に当接し傾倒する。さらに、硬貨が中央付近で傾倒するため、硬貨処理装置１０の壁４７に触れることなく搬送される。
【００３３】
【発明の効果】
以上説明したように本発明のジャム防止治具によれば、リフト部前にストッパと、切り欠き部からなる硬貨傾倒部とを設けたので、硬貨の上部と下部に対し逆向きの力を与え、硬貨のバランスを崩させ、確実に回転状態の硬貨を倒すことが可能である。このため、確実に硬貨を水平搬送部に載置することができ、リフト部でのジャムを防止することができる。また、ストッパが左右にあるので、中央付近までの距離が短く、早くに切り欠き部まで移動し、すぐに硬貨が中央で倒れる。
【図面の簡単な説明】
【図１】本発明に係るジャム防止治具を備えた硬貨処理装置の全体を示す概略図である。
【図２】本発明に係るジャム防止治具を設けた部位の拡大斜視図である。
【図３】本発明に係るジャム防止治具の斜視図である。
【図４】本発明に係るジャム防止治具の正面図である。
【図５】本発明に係るジャム防止治具の側面図である。
【図６】硬貨がジャム防止治具のストッパ部に当接し、左側へ移動させられている状態を示す図である。
【図７】図６の状態を上から見た図である。
【図８】図６の状態を進行方向から見た図である。
【図９】硬貨がジャム防止治具の切り欠き部に当接し、倒れる状態を示す図である。
【図１０】図９の状態を上から見た図である。
【図１１】図９の状態を進行方向から見た図である。
【図１２】硬貨がジャム防止治具の基部に当たり、主搬送ベルトの水平搬送部へ載置する状態を示す図である。
【図１３】硬貨が水平搬送部を搬送されている状態を示す図である。
【図１４】硬貨がジャム防止治具の下を搬送されている状態を示す図である。
【図１５】従来の硬貨処理装置の主要部の拡大斜視図である。
【符号の説明】
１０　　　　　　　　硬貨処理装置
２０〜２３　　　　　ホッパ部
２４　　　　　　　　硬貨搬送部
３３　　　　　　　　主搬送ベルト
３４　　　　　　　　副搬送ベルト
３５　　　　　　　　水平搬送部
５０　　　　　　　　ジャム防止治具
５１Ｌ，５１Ｒ　　　ストッパ部
５２　　　　　　　　切り欠き部
５２Ｌ，５２Ｒ　　　溝（切り欠き頂点）
Ｃ　　　　　　　　　硬貨
【図１】
2004070758.tif 000003
【図２】
2004070758.tif 000004
【図３】
2004070758.tif 000005
【図４】
2004070758.tif 000006
【図５】
2004070758.tif 000007
【図６】
2004070758.tif 000008
【図７】
2004070758.tif 000009
【図８】
2004070758.tif 000010
【図９】
2004070758.tif 000011
【図１０】
2004070758.tif 000012
【図１１】
2004070758.tif 000013
【図１２】
2004070758.tif 000014
【図１３】
2004070758.tif 000015
【図１４】
2004070758.tif 000016
【図１５】
2004070758.tif 000017